(57)【要約】【課題】居室の用途に応じて、居室の照明を調光することができる調光システムを提供する。【解決手段】居室に備えられた照明器具と、居室の用途情報を含む居室の利用スケジュールデータが記憶された利用スケジュールデータ記憶手段と、居室の用途毎に、標準照度値が関係付けられて記憶された標準照度記憶手段と、利用スケジュールデータに基づいて、居室の用途を特定し、標準照度記憶手段を参照して、特定した用途に関係付けられている標準照度値を特定し、該特定した標準照度値を調光するべき照度値として出力する制御手段と、制御手段から出力される照度値に基づいて、照明器具を調光する調光コントローラとを備えた。【選択図】図１
2010287398.tif 000002
【特許請求の範囲】
【請求項１】
居室に備えられた照明器具と、
前記居室の用途情報を含む前記居室の利用スケジュールデータが記憶された利用スケジュールデータ記憶手段と、
前記居室の用途毎に、標準照度値が関係付けられて記憶された標準照度記憶手段と、
前記利用スケジュールデータに基づいて、前記居室の用途を特定し、前記標準照度記憶手段を参照して、前記特定した用途に関係付けられている標準照度値を特定し、該特定した標準照度値を調光するべき照度値として出力する制御手段と、
前記制御手段から出力される照度値に基づいて、前記照明器具を調光する調光コントローラと
を備えたことを特徴とする調光システム。
【請求項２】
前記照明器具の調光を調整する操作パネルと、
前記操作パネルにより調光状態を調整した利用者の識別情報を特定する調整者特定手段と、
前記居室に入室した利用者の識別情報を特定する入室者特定手段と、
前記操作パネルによって、調光状態が調整された場合に、前記調整者特定手段によって特定された利用者の識別情報と、調整後の照度値と、前記居室の用途情報とを関係付けて記憶する個人データ記憶手段とをさらに備え、
前記制御手段は、前記入室者特定手段によって特定された利用者の識別情報と、前記居室の用途情報とが前記個人データ記憶手段に記憶されている場合には、前記利用者の識別情報と、前記居室の用途情報とに関係付けられている前記調整後の照度値を前記調光するべき照度値として出力することを特徴とする請求項１に記載の調光システム。
【発明の詳細な説明】
【技術分野】
【０００１】
本発明は、居室の用途に応じて、居室の照明を調光する調光システムに関する。
【背景技術】
【０００２】
従来から、センサによって人の位置と活動の種類を検出し、活動の種類に応答して、照明の光源を制御するシステムが知られている（例えば、特許文献１参照）。また、電気機器の操作にかかる人の負担を軽減しつつ、人の意思に反して電気機器が制御されてしまう可能性を低減することができる機器制御システムが知られている（例えば、特許文献２参照）。特許文献２に記載された機器制御システムは、センタ装置が、複数のセンサから連続して検出された人体位置情報を検出順に並べたものを一連の連続行動パターンとして認識し、連続行動パターンに連続して複数台の電気機器から検出された機器状態情報の集まりを制御グループとして認識する。センタ装置は、所定期間内に同一の連続行動パターンおよび制御グループの組み合わせが所定回数以上検出されるとこの組み合わせを登録パターンとして記憶部に記憶し、登録パターンの連続行動パターンに一致する連続行動パターンが検出され且つ同登録パターンの制御グループに含まれるいずれかの電気機器の機器状態情報が検出されると、同制御グループに従って他の電気機器を自動的に制御するものでる。
【先行技術文献】
【特許文献】
【０００３】
【特許文献１】特表２００６−５０７６４１号公報
【特許文献２】特開２００９−０４４２４７号公報
【発明の概要】
【発明が解決しようとする課題】
【０００４】
ところで、従来の照明設計では、予めその対象となる部屋や場所の用途により必要照度を算出し、この必要照度が得られるように、照明器具を設置するのが一般的である。近年では、照明器具を一定間隔で配置し、使用用途によって、それぞれの場所で設定された照度に手動で調光することができるようになっている。
【０００５】
しかしながら、従来の技術では、対象の場所が設計時に想定された用途とは異なる用途に応じてその都度調光する操作を行うのは手間がかかるとともに、適切な照度になるように調光することは困難であるという問題がある。
【０００６】
本発明は、このような事情に鑑みてなされたもので、居室の用途に応じて、居室の照明を調光することができる調光システムを提供することを目的とする。
【課題を解決するための手段】
【０００７】
本発明は、居室に備えられた照明器具と、前記居室の用途情報を含む前記居室の利用スケジュールデータが記憶された利用スケジュールデータ記憶手段と、前記居室の用途毎に、標準照度値が関係付けられて記憶された標準照度記憶手段と、前記利用スケジュールデータに基づいて、前記居室の用途を特定し、前記標準照度記憶手段を参照して、前記特定した用途に関係付けられている標準照度値を特定し、該特定した標準照度値を調光するべき照度値として出力する制御手段と、前記制御手段から出力される照度値に基づいて、前記照明器具を調光する調光コントローラとを備えたことを特徴とする。
【０００８】
本発明は、前記照明器具の調光を調整する操作パネルと、前記操作パネルにより調光状態を調整した利用者の識別情報を特定する調整者特定手段と、前記居室に入室した利用者の識別情報を特定する入室者特定手段と、前記操作パネルによって、調光状態が調整された場合に、前記調整者特定手段によって特定された利用者の識別情報と、調整後の照度値と、前記居室の用途情報とを関係付けて記憶する個人データ記憶手段とをさらに備え、前記制御手段は、前記入室者特定手段によって特定された利用者の識別情報と、前記居室の用途情報とが前記個人データ記憶手段に記憶されている場合には、前記利用者の識別情報と、前記居室の用途情報とに関係付けられている前記調整後の照度値を前記調光するべき照度値として出力することを特徴とする。
【発明の効果】
【０００９】
本発明によれば、居室の用途に合わせて自動的に照明器具の調光を行うようにしたため、適切な照度になるように調光できるとともに、照度の設定作業の省力化を図ることができる。また、利用者によって、自動的に調光された状態から照度の設定が変更された場合に、変更された照度の値になるように自動的に調光するようにしたため、利用者の好みに応じた調光を自動的に行うことが可能になるという効果が得られる。
【図面の簡単な説明】
【００１０】
【図１】本発明の一実施形態の構成を示すブロック図である。
【図２】図１に示す標準照度記憶部８のテーブル構造を示す説明図である。
【図３】図１に示す個人データ記憶部９のテーブル構造を示す説明図である。
【図４】図１に示すスケジュールデータ記憶部１１のテーブル構造を示す説明図である。
【発明を実施するための形態】
【００１１】
以下、図面を参照して、本発明の一実施形態による調光システムを説明する。図１は同実施形態の構成を示すブロック図である。この図において、符号１は、建物内の１つの居室である。符号２は、居室１内に設置された複数の照明器具であり、調光する（発光強度を変化させる）ことが可能である。符号３は、照明器具２の発光強度を調節する調光コントローラである。符号４は、居室１の利用者が照明の調光操作を行う操作パネルであり、照明器具２の発光強度を調節することができる。符号５は、操作パネル４を操作する利用者を特定するためのＩＣカードリーダであり、利用者が携帯するＩＣカードに記憶されている利用者識別ＩＤを読み取る。符号６は、居室１に入室する利用者を特定するためのＩＣカードリーダであり、利用者が携帯するＩＣカードに記憶されている利用者識別ＩＤを読み取る。
【００１２】
符号７は、利用者の行動に応じて、居室１の照明を調光する制御を行う制御部であり、コンピュータ装置によって構成される。符号８は、居室１の用途別に標準照度値が予め定義されて記憶されている標準照度記憶部である。符号９は、利用者個人の好みに合わせた照度に設定するために、個人毎の好みの照度値を記憶する個人データ記憶部である。符号１０は、居室１の利用スケジュールを管理するスケジュール管理システムである。符号１１は、居室１の利用スケジュールデータを記憶するスケジュールデータ記憶部である。
【００１３】
次に、図２を参照して、図１に示す標準照度記憶部８のテーブル構造を説明する。標準照度記憶部８は、居室１の用途毎に、推奨する照度の値が予め関係付けられて記憶されている。標準照度記憶部８に記憶される照度の値は、ＪＩＳ  Ｚ  ９１１０「照度基準」で定められている照度値を参考にして、用途別（例えば、会議、パソコンを使用する作業等）に照度値を関係付けたものである。
【００１４】
次に、図３を参照して、図１に示す個人データ記憶部９のテーブル構造を説明する。個人データ記憶部９は、利用者を一意に識別可能な利用者ＩＤと、建物内の居室を一意に識別可能な居室ＩＤと、居室の用途と、この利用者が用途に対する照度値を好みの値に変更した場合の照度の値が関係付けられて記憶される。個人データ記憶部９は、初期の状態においては、情報が記憶されておらず、居室をある用途で使用した場合に、利用者が操作パネル４を操作して、標準照度とは異なる好みの照度に設定を変える度に情報が記憶されるテーブルである。
【００１５】
次に、図４を参照して、図１に示すスケジュールデータ記憶部１１のテーブル構造を説明する。スケジュールデータ記憶部１１は、居室ＩＤ毎に、日付、時間帯、用途、利用者ＩＤが関係付けられて記憶される。これらの情報は、スケジュール管理システム１０を使用して、利用者が居室１を使用する前に登録しておくものである。
【００１６】
次に、図１を参照して、図１に示す調光システムの処理動作を説明する。まず、居室１を利用しようとする利用者は、スケジュール管理システム１０を使用して、居室１の利用スケジュールを登録する。ここで、登録するべき情報は、利用する居室１の居室ＩＤ、利用する日付、利用する時間帯、用途、利用者全員の利用者ＩＤである。このうち、用途は、予め用意されている選択肢の中から選択することにより用途を特定する。これにより、図４に示すように、居室ＩＤ「Ｒ００１」の居室を、「○月○日（火）」の「９：３０〜１１：００」に、「会議」の用途で、利用者ＩＤ「Ｓ０００１、Ｓ０００２、・・・」の利用者が利用することが登録されることになる。他の利用者が同様の登録を行うことにより、居室ＩＤ「Ｒ００１」の居室を、「○月○日（火）」の「１１：３０〜１２：００」に、「会議」の用途で、利用者ＩＤ「Ｓ０００４、Ｓ０００５、・・・」の利用者が利用することが登録されることになる。なお、この時点では、個人データ記憶部９には、個人データが記憶されていないものとする。
【００１７】
次に、利用者が居室１を利用する時刻になった時点で、利用者は居室１に入室する。このとき、各利用者は、携帯しているＩＣカードをＩＣカードリーダ６にかざし、ＩＣカードに記憶されている利用者ＩＤを読み込ませる。ＩＣカードリーダ６は、読み込んだ全ての利用者ＩＤと、ＩＣカードリーダ６が設置されている居室１を識別する居室ＩＤとを制御部７へ出力する。制御部７は、ＩＣカードリーダ６から出力された利用者ＩＤと居室ＩＤをスケジュール管理システム１０へ送信し、この居室ＩＤの居室の用途を問い合わせる。
【００１８】
ＩＣカードリーダ６から利用者ＩＤと居室ＩＤを受信したスケジュール管理システム１０は、現在日時を特定し、この現在日時に、受信した居室ＩＤの居室を利用しているべき利用者ＩＤと用途の情報をスケジュールデータ記憶部１１から読み出す。例えば、現在日時が○月○日の火曜日の９時３０分である場合は、用途「会議」、利用者ＩＤ「Ｓ０００１，Ｓ０００２、・・・」が読み出されることになる。そして、スケジュール管理システム１０は、スケジュールデータ記憶部１１から読み出した利用者ＩＤと、制御部７から受信した利用者ＩＤとが一致すれば、スケジュールデータ記憶部１１から読み出した用途の情報を制御部７へ送信する。
【００１９】
この用途の情報を受信した制御部７は、個人データ記憶部９を参照して、スケジュール管理システム１０から受信した用途で、ＩＣカードリーダ６から出力された利用者ＩＤの照度値が記憶されているか否かを判定する。このとき、個人データ記憶部９には、個人データが記憶されていないため、制御部７は、標準照度記憶部８を参照して、スケジュール管理システム１０から受信した用途に関係付けられている標準照度の値を特定する。そして、制御部７は、特定した標準照度の値を調光コントローラ３へ出力する。
【００２０】
調光コントローラ３は、内部に照度と発光強度の変換テーブルを持っており、この変換テーブルを参照して、制御部７から出力された照度の値を、各照明器具２の発光強度の値に変換する。そして、調光コントローラ３は、各照明器具２が変換した発光強度になるように調光する。これにより、居室１内の照度が居室１の用途に応じた照度に調光されることになる。
【００２１】
次に、居室１を利用している間に、利用者が居室１内の照度を好みの照度に変更する場合の動作を説明する。照度を変更しようとする利用者は、操作パネル４を操作して、照度を変更する操作を行う。このとき、操作パネル４の表示部にＩＣカードを読み込ませる指示のメッセージを表示する。このメッセージを見た利用者は、携帯するＩＣカードをＩＣカードリーダ５にかざし、ＩＣカードに記憶されている利用者ＩＤを読み込ませる。ＩＣカードリーダ６は、読み込んだ利用者ＩＤを調光コントローラ３へ出力する。そして、調光コントローラ３は、操作パネル４の操作に応じて、各照明器具２の発光強度を調節する。利用者による照度の変更操作が終了すると、調光コントローラ３は、照度と発光強度の変換テーブルを参照して、変更後の発光強度から照度の値に変換する。そして、調光コントローラ３は、ＩＣカードリーダ５から出力された利用者ＩＤと、変換した照度の値と、居室１を識別する居室ＩＤとを制御部７へ出力する。
【００２２】
これを受けて、制御部７は、スケジュール管理システム１０から送信された用途情報と、調光コントローラ３から出力された利用者ＩＤ、変更後の照度の値、居室ＩＤとを個人データ記憶部９に記憶する。これにより、個人データ記憶部９には、利用者ＩＤ「Ｓ０００１」の利用者が、居室ＩＤ「Ｒ００１」の居室を、「用途１（例えば、会議）」の用途で利用する場合には、「照度Ｘ」になるように調光することを示す情報が記憶されることになる。
【００２３】
次に、個人データ記憶部９に記憶された個人データに基づいて、調光を行う場合の動作を説明する。利用者が居室１に入室し、各利用者が携帯しているＩＣカードをＩＣカードリーダ６にかざしてＩＣカードに記憶されている利用者ＩＤを読み込ませると、ＩＣカードリーダ６は、読み込んだ全ての利用者ＩＤと、ＩＣカードリーダ６が設置されている居室１を識別する居室ＩＤとを制御部７へ出力する。制御部７は、ＩＣカードリーダ６から出力された利用者ＩＤと居室ＩＤをスケジュール管理システム１０へ送信し、この居室ＩＤの居室の利用用途を問い合わせる。
【００２４】
ＩＣカードリーダ６から利用者ＩＤと居室ＩＤを受信したスケジュール管理システム１０は、現在日時を特定し、この現在日時に、受信した居室ＩＤの居室を利用しているべき利用者ＩＤと用途の情報をスケジュールデータ記憶部１１から読み出す。例えば、現在日時が○月○日の木曜日の１０時３０分である場合は、用途「会議」、利用者ＩＤ「Ｓ０００１，Ｓ０００２」が読み出されることになる。そして、スケジュール管理システム１０は、スケジュールデータ記憶部１１から読み出した利用者ＩＤと、制御部７から受信した利用者ＩＤとが一致すれば、スケジュールデータ記憶部１１から読み出した用途の情報を制御部７へ送信する。
【００２５】
この用途の情報を受信した制御部７は、個人データ記憶部９を参照して、スケジュール管理システム１０から受信した用途で、ＩＣカードリーダ６から出力された利用者ＩＤの照度値が記憶されているか否かを判定する。このとき、個人データ記憶部９には、個人データが記憶されているため、制御部７は、個人データ記憶部９を参照して、スケジュール管理システム１０から受信した用途に関係付けられている照度の値（利用者が好みに合わせて変更した照度の値）を特定する。そして、制御部７は、特定した照度の値を調光コントローラ３へ出力する。
【００２６】
調光コントローラ３は、照度と発光強度の変換テーブルを参照して、制御部７から出力された照度の値を、各照明器具２の発光強度の値に変換する。そして、調光コントローラ３は、各照明器具２が変換した発光強度になるように調光する。これにより、居室１内の照度が利用者の好みに応じた照度に調光されることになる。
【００２７】
なお、個人データ記憶部９に、条件に合致する照度の値が複数記憶されている場合には、照度の値が大きい値または小さい値を採用したり、複数の照度の値のうち、標準照度に近い値を採用したり、さらには、利用者ＩＤに優先順位を付けておき、優先順位の高い利用者の照度を採用できるように、予め制御部７内に照度値の採用ルールを定めておけばよい。
【００２８】
以上説明したように、居室の用途に合わせて自動的に照明器具の調光を行うようにしたため、照度の設定作業の省力化を図ることができる。また、利用者によって、自動的に調光された状態から照度の設定が変更された場合に、変更された照度の値に自動的に調光するようにしたため、利用者の好みに応じた調光を自動的に行うことが可能になる。
【００２９】
なお、図１における制御部７及び調光コントローラ３の機能を実現するためのプログラムをコンピュータ読み取り可能な記録媒体に記録して、この記録媒体に記録されたプログラムをコンピュータシステムに読み込ませ、実行することにより調光制御処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３０】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００３１】
１・・・居室、２・・・照明器具、３・・・調光コントローラ、４・・・操作パネル、５、６・・・ＩＣカードリーダ、７・・・制御部、８・・・標準照度記憶部、９・・・個人データ記憶部、１０・・・スケジュール管理システム、１１・・・スケジュールデータ記憶部
【図１】
2010287398.tif 000003
【図２】
2010287398.tif 000004
【図３】
2010287398.tif 000005
【図４】
2010287398.tif 000006